【手続補正書】
【提出日】平成27年5月28日(2015.5.28)
【手続補正１】
【補正対象書類名】特許請求の範囲
【補正対象項目名】全文
【補正方法】変更
【補正の内容】
【特許請求の範囲】
【請求項１】
第１周波数帯域にて無線通信を実行可能であり、第１セル識別子によって識別される第１セルを収容する第１基地局と、第２周波数帯域にて無線通信を実行可能であり、第２セル識別子によって識別される第２セルを収容する第２基地局と、を含む複数の基地局と、
前記複数の基地局の各々と無線通信を実行可能なユーザ装置とを備え、
前記第１基地局は、
当該第１基地局が収容する前記第１セルを識別する前記第１セル識別子に対応する第１同期信号を第１送信タイミングにて送信する第１送信部を備え、
前記第２基地局は、
当該第２基地局が収容する前記第２セルを識別する前記第２セル識別子に対応する識別信号を送信する第２送信部を備え、
前記ユーザ装置は、
前記第１基地局から受信した前記第１同期信号に基づいて前記第１送信タイミングを検出し、前記第１基地局との同期を確立するタイミングサーチ処理を実行するセルサーチ部を備え、
前記第１基地局は、
当該第１基地局と前記第２基地局との同期状態に関する同期状態情報と、前記第２周波数帯域のうち前記第２基地局が前記識別信号の送信に用いる識別信号周波数に関する周波数情報とを、前記ユーザ装置に通知する情報通知部を備え、
前記ユーザ装置の前記セルサーチ部は、
前記周波数情報に示される前記識別信号周波数に対して、前記識別信号に対応する前記第２セル識別子の特定処理を、前記第１基地局からの前記同期状態情報に基づいて実行する
無線通信システム。
【請求項２】
前記第１基地局および前記第２基地局は相互に同期して無線通信を実行可能であり、
前記第２基地局の前記第２送信部は第２送信タイミングにて第２同期信号を送信し、
前記第１基地局の前記情報通知部が通知する前記同期状態情報は、前記第１基地局と前記第２基地局とが同期しているか否かを示し、
前記ユーザ装置の前記セルサーチ部は、前記第１基地局と前記第２基地局とが同期していると前記同期状態情報が示す場合、前記第２基地局に対するタイミングサーチ処理を実行せずに、前記第１送信タイミングに基づいて、前記識別信号に対応する前記第２セル識別子の特定処理を実行する
請求項１の無線通信システム。
【請求項３】
前記第１基地局および前記第２基地局は相互に同期して無線通信を実行可能であり、
前記第２基地局の前記第２送信部は第２送信タイミングにて第２同期信号を送信し、
前記第１基地局の前記情報通知部が通知する前記同期状態情報は、前記第１基地局と前記第２基地局とが同期しているか否かを示し、
前記ユーザ装置の前記セルサーチ部は、前記第１基地局と前記第２基地局とが同期していると前記同期状態情報が示す場合、前記第１送信タイミングを含む所定期間にわたって前記第２基地局に対するタイミングサーチ処理を実行することにより前記第２送信タイミングを特定し、前記第２送信タイミングに基づいて前記識別信号に対応する前記第２セル識別子の特定処理を実行する
請求項１の無線通信システム。
【請求項４】
前記第２基地局の前記第２送信部は、前記第１基地局の前記第１送信タイミングを送信オフセット値に対応する時間だけ遅らせた第２送信タイミングにて、前記識別信号を送信し、
前記第１基地局の前記情報通知部が通知する前記同期状態情報は、前記第１基地局の前記第１送信タイミングに対する前記送信オフセット値を示し、
前記ユーザ装置の前記セルサーチ部は、前記第１送信タイミングと前記同期状態情報が示す前記送信オフセット値とに基づいて、前記第２基地局に対するタイミングサーチ処理を実行せずに、前記識別信号に対応する前記第２セル識別子の特定処理を実行する
請求項１の無線通信システム。
【請求項５】
前記第２基地局の前記第２送信部は、前記第１基地局の前記第１送信タイミングを送信オフセット値に対応する時間だけ遅らせた第２送信タイミングにて、前記識別信号を送信し、
前記第１基地局の前記情報通知部が通知する前記同期状態情報は、前記第１基地局の前記第１送信タイミングに対する前記送信オフセット値を示し、
前記ユーザ装置の前記セルサーチ部は、前記第１送信タイミングを、前記同期状態情報が示す前記送信オフセット値に対応する時間だけ遅らせた送信タイミングを含む所定期間にわたって前記第２基地局に対するタイミングサーチ処理を実行することにより前記第２送信タイミングを特定し、前記第２送信タイミングに基づいて前記識別信号に対応する前記第２セル識別子の特定処理を実行する
請求項１の無線通信システム。
【請求項６】
前記第２基地局は、さらに、
前記第１基地局から受信した無線信号の受信電力を測定する受信電力測定部と、
前記受信電力測定部が測定した前記受信電力が小さいほど、送信オフセット値を大きく設定するオフセット値設定部とを備え、
前記第２基地局の前記第２送信部は、前記第１基地局の前記第１送信タイミングを送信オフセット値に対応する時間だけ早めた第２送信タイミングにて、前記識別信号を送信し、
前記第１基地局の前記情報通知部が通知する前記同期状態情報は、前記第１基地局と前記第２基地局とが同期しているか否かを示し、
前記ユーザ装置の前記セルサーチ部は、前記第１基地局と前記第２基地局とが同期していると前記同期状態情報が示す場合、前記第２基地局に対するタイミングサーチ処理を実行せずに、前記第１送信タイミングに基づいて、前記識別信号に対応する前記第２セル識別子の特定処理を実行する
請求項１の無線通信システム。
【請求項７】
前記同期状態情報は、さらに、複数の前記第２基地局に対応する複数の前記第２セル識別子を示す識別子リストを含み、
前記ユーザ装置の前記セルサーチ部は、前記識別子リストに示される複数の前記第２セル識別子に対応する複数の前記第２基地局のみについて、前記特定処理を実行する
請求項２ないし請求項６のいずれかの無線通信システム。
【請求項８】
前記ユーザ装置は、
当該ユーザ装置を識別する端末識別子を示す端末検出信号を送信する端末送信部を備え、
前記第２基地局の前記第２送信部は、
前記端末検出信号と共通の信号フォーマットを有する前記識別信号を送信する
請求項１の無線通信システム。
【請求項９】
前記第２基地局の前記第２送信部は、
複数のサブフレームの各々における前記識別信号の配置を示し、当該第２基地局を識別する識別信号パターンに従って前記識別信号を送信する
請求項１の無線通信システム。
【請求項１０】
第１周波数帯域にて無線通信を実行可能であり、第１セル識別子によって識別される第１セルを収容する第１基地局と、第２周波数帯域にて無線通信を実行可能であり、第２セル識別子によって識別される第２セルを収容する第２基地局と、を含む複数の基地局と、
前記複数の基地局の各々と無線通信を実行可能なユーザ装置とを備える無線通信システムの通信制御方法であって、
前記第１基地局において、当該第１基地局が収容する前記第１セルを識別する前記第１セル識別子に対応する第１同期信号を第１送信タイミングにて送信することと、
前記第２基地局において、当該第２基地局が収容する前記第２セルを識別する前記第２セル識別子に対応する識別信号を送信することと、
前記ユーザ装置において、前記第１基地局から受信した前記第１同期信号に基づいて前記第１送信タイミングを検出し、前記第１基地局との同期を確立するタイミングサーチ処理を実行することと、
前記第１基地局において、当該第１基地局と前記第２基地局との同期状態に関する同期状態情報と、前記第２周波数帯域のうち前記第２基地局が前記識別信号の送信に用いる識別信号周波数に関する周波数情報とを、前記ユーザ装置に通知することと、
前記ユーザ装置において、前記周波数情報に示される前記識別信号周波数に対して、前記識別信号に対応する前記第２セル識別子の特定処理を、前記第１基地局からの前記同期状態情報を用いて実行することとを備える
通信制御方法。